(57)【特許請求の範囲】
【請求項１】
連結部を介して折り畳み自在に連結されたフロント部とテンプル部とを備え、
前記テンプル部は、当該テンプル部の長手方向に延びて形成された第１テンプル平面部を有し、
前記フロント部は、眼鏡として装着可能な展開状態において前記第１テンプル平面部と対向して近接する位置であって、眼鏡として装着不能な折り畳み状態においては前記第１テンプル平面部から離間する位置に形成された第１フロント平面部を有し、
前記フロント部と前記テンプル部との間を渡る複数の第１導電路を前記展開状態において接続し、前記折り畳み状態において切り離す複数の第１電気接点が、前記第１テンプル平面部と前記第１フロント平面部との間に形成された
ことを特徴とする眼鏡型電子機器。
【請求項２】
前記連結部は、前記フロント部と前記テンプル部とを回動自在に連結する回動軸を有し、
前記第１テンプル平面部及び前記第１フロント平面部は、前記回動軸に対して垂直な平面である
ことを特徴とする請求項１に記載の眼鏡型電子機器。
【請求項３】
前記第１電気接点は、
前記第１テンプル平面部及び前記第１フロント平面部の一方に配設されたパッドと、
前記第１テンプル平面部及び前記第１フロント平面部の他方に配設され、表面から突出する方向に付勢されたピンとを有する
ことを特徴とする請求項２に記載の眼鏡型電子機器。
【請求項４】
前記テンプル部は、前記回動軸に対して水平な第２テンプル平面部を有し、
前記フロント部は、前記展開状態において前記第２テンプル平面部と対向して近接する位置であって、前記折り畳み状態において前記第２テンプル平面部から離間する位置に形成された第２フロント平面部を有し、
前記フロント部と前記テンプル部との間を渡る複数の第２導電路を前記展開状態において接続し、前記折り畳み状態において切り離す複数の第２電気接点が、前記第２テンプル平面部と前記第２フロント平面部との間に形成された
ことを特徴とする請求項２又は３に記載の眼鏡型電子機器。
【請求項５】
前記第２電気接点は、
前記第２テンプル平面部及び前記第２フロント平面部の一方に配設され、前記回動軸に対して両面が垂直となる姿勢に保持された板状電極と、
前記第２テンプル平面部及び前記第２フロント平面部の他方に配設され、前記板状電極を両面から挟んで受け入れる受け側電極とを有する
ことを特徴とする請求項４に記載の眼鏡型電子機器。
【請求項６】
前記テンプル部は、前記第２テンプル平面部の周囲の少なくとも一部に形成されたテンプル側段差部を有し、
前記フロント部は、前記第２フロント平面部の周囲の少なくとも一部に形成されたフロント側段差部を有し、
前記テンプル側段差部及び前記フロント側段差部は、前記展開状態において互いに係合し、当該係合状態において前記テンプル部と前記フロント部とを位置決めする
ことを特徴とする請求項５に記載の眼鏡型電子機器。
【発明の詳細な説明】
【技術分野】
【０００１】
本発明は、電子部品が搭載された眼鏡型電子機器に関するものである。
【背景技術】
【０００２】
スマートフォンやゲーム機に代表される携帯型電子機器を更に発展させ、身体に直接着けて日常的に使用できることを特徴とした小型の電子機器（「ウェアラブル」とも呼ばれる）が近年注目を集めている。特に眼鏡型電子機器は、日常的な活動を妨げることなく映像や音声などの主要な知覚情報を伝達するのに適しており、また、各種のセンサや通信機能を搭載することによって従来にはない応用が期待されることから、各方面で活発に技術開発が進められている。
【０００３】
下記の特許文献１には、眼鏡のツル部の展開、折り畳み動作に連動させて電源スイッチのオン・オフ操作を行うことが可能な電圧印加型眼鏡が記載されている。
【先行技術文献】
【特許文献】
【０００４】
【特許文献１】特開２０１２−４７８８８号公報
【発明の概要】
【発明が解決しようとする課題】
【０００５】
上記特許文献１に記載される電圧印加型眼鏡では、電源回路を備えたツル部（テンプル部）と電圧印加型レンズが組み込まれたフレーム部（フロント部）とがヒンジの回転機構によって折り畳み自在に連結される。テンプル部とフロント部には、展開状態において近接し、折り畳み状態において離間するように、回転機構の回転軸と平行な端面がそれぞれ形成される。このテンプル部とフロント部の端面には、電源回路と電圧印加型レンズとの電気的接続を入り切りするための接続端子がそれぞれ設けられている。展開状態において双方の端面の接続端子が接触することにより、電源回路から電圧印加型レンズに電源が供給され、折り畳み状態において双方の端面の接続端子が切り離されることにより、電圧印加型レンズへの電源供給が遮断される。
【０００６】
この従来の電圧印加型眼鏡では、テンプル部とフロント部との間で２本の電源線のみを渡しているが、テンプル部とフロント部にそれぞれ搭載した電子部品の間で信号をやり取りするような構成の場合には、更に多くの配線（導電路）をテンプル部とフロント部との間で渡すことが必要となる。ところが、上述した電圧印加型眼鏡では、テンプル部の長手方向に対して垂直な端面に接続端子が配設されており、この端面はデザイン上や実用上の制約からあまり大きくすることができない。また、テンプル部とフロント部の端面同士が多少離れても接続端子同士の導通が容易に絶たれることがないようにするため、上述の電圧印加型眼鏡では接続端子としてスプリングコネクタが用いられているが、この種のコネクタは一般的にサイズが大きい。従って、上述の電圧印加型眼鏡は、小さな端面に大きなサイズの接続端子を配設するものであるため、接続端子の数を増やすことが困難であり、テンプル部とフロント部との間で渡すことのできる配線（導電路）の数が少ないという問題がある。
【０００７】
本発明はかかる事情に鑑みてなされたものであり、その目的は、折り畳み自在に連結されたテンプル部とフロント部との間でより多くの導電路を渡すことができる眼鏡型電子機器を提供することにある。
【課題を解決するための手段】
【０００８】
本発明の第１の観点に係る眼鏡型電子機器は、連結部を介して折り畳み自在に連結されたフロント部とテンプル部とを備える。前記テンプル部は、当該テンプル部の長手方向に延びて形成された第１テンプル平面部を有する。前記フロント部は、眼鏡として装着可能な展開状態において前記第１テンプル平面部と対向して近接する位置であって、眼鏡として装着不能な折り畳み状態においては前記第１テンプル平面部から離間する位置に形成された第１フロント平面部を有する。前記第１テンプル平面部と前記第１フロント平面部との間には、複数の第１電気接点が形成される。前記複数の第１電気接点は、前記フロント部と前記テンプル部との間を渡る複数の第１導電路を前記展開状態において接続し、前記折り畳み状態において切り離す。
上記第１の観点に係る眼鏡型電子機器によれば、前記テンプル部の長手方向に延びて形成された前記第１テンプル平面部と、前記展開状態において当該第１テンプル平面部と対向して近接する前記第１フロント平面部との間に前記複数の第１電気接点が形成される。これにより、前記第１電気接点が形成される平面部を長手方向へ大きく広げて形成することができるため、前記第１電気接点をより多く設けることが可能となる。
【０００９】
好適に、前記連結部は、前記フロント部と前記テンプル部とを回動自在に連結する回動軸を有してよく、前記第１テンプル平面部及び前記第１フロント平面部は、前記回動軸に対して垂直な平面でよい。
上記の構成によれば、前記展開状態において前記フロント部と前記テンプル部とが相対的に回動した場合、前記第１テンプル平面部及び前記第１フロント平面部の間隔が一定に保たれるため、前記第１電気接点の電気的接触が安定に保たれる。
【００１０】
好適に、前記第１電気接点は、前記第１テンプル平面部及び前記第１フロント平面部の一方に配設されたパッドと、前記第１テンプル平面部及び前記第１フロント平面部の他方に配設され、表面から突出する方向に付勢されたピンとを有してよい。
上記の構成によれば、前記展開状態において前記ピンが前記付勢力によって前記パッドに押し当てられるため、前記第１電気接点の電気的接触が安定に保たれる。
【００１１】
好適に、前記テンプル部は、前記回動軸に対して水平な第２テンプル平面部を有してよい。前記フロント部は、前記展開状態において前記第２テンプル平面部と対向して近接する位置であって、前記折り畳み状態において前記第２テンプル平面部から離間する位置に形成された第２フロント平面部を有してよい。前記第２テンプル平面部と前記第２フロント平面部との間には、複数の第２電気接点が形成されてよい。前記複数の第２電気接点は、前記フロント部と前記テンプル部との間を渡る複数の第２導電路を前記展開状態において接続し、前記折り畳み状態において切り離してよい。
上記の構成によれば、電気接点の数が増えるため、前記テンプル部と前記フロント部との間でより多くの導電路を渡すことが可能となる。
【００１２】
好適に、前記第２電気接点は、前記第２テンプル平面部及び前記第２フロント平面部の一方に配設され、前記回動軸に対して両面が垂直となる姿勢に保持された板状電極と、前記第２テンプル平面部及び前記第２フロント平面部の他方に配設され、前記板状電極を両面から挟んで受け入れる受け側電極とを有してよい。
上記の構成によれば、前記展開状態において前記フロント部と前記テンプル部とが相対的に回動した場合、前記回動軸に対して両面が垂直となる姿勢に保持された前記板状部材が前記受け側電極において両面を挟まれた状態で移動するため、前記第２電気接点の電気的接触が安定に保たれる。
【００１３】
好適に、前記テンプル部は、前記第２テンプル平面部の周囲の少なくとも一部に形成されたテンプル側段差部を有してよい。前記フロント部は、前記第２フロント平面部の周囲の少なくとも一部に形成されたフロント側段差部を有してよい。前記テンプル側段差部及び前記フロント側段差部は、前記展開状態において互いに係合してよく、当該係合状態において前記テンプル部と前記フロント部とを位置決めしてよい。
上記の構成によれば、前記テンプル側段差部及び前記フロント側段差部の係合状態において前記テンプル部と前記フロント部とが位置決めされるため、前記第２電気接点における前記板状部材と前記受け側電極との相対的な位置精度が向上する。
【００１４】
本発明の第２の観点に係る眼鏡型電子機器は、連結部を介して折り畳み自在に連結されたフロント部とテンプル部とを備える。前記連結部は、前記フロント部と前記テンプル部とを回動自在に連結する回動軸を有する。前記テンプル部は、前記回動軸に対して水平なテンプル平面部を有する。前記フロント部は、眼鏡として装着可能な展開状態において前記テンプル平面部と対向して近接する位置であって、眼鏡として装着不能な折り畳み状態において前記テンプル平面部から離間する位置に形成されたフロント平面部を有する。前記テンプル平面部と前記フロント平面部との間には、複数の電気接点が形成される。前記複数の電気接点は、前記フロント部と前記テンプル部との間を渡る複数の導電路を前記展開状態において接続し、前記折り畳み状態において切り離す。前記電気接点は、前記テンプル平面部及び前記フロント平面部の一方に配設され、前記回動軸に対して両面が垂直となる姿勢に保持された板状電極と、前記テンプル平面部及び前記フロント平面部の他方に配設され、前記板状電極を両面から挟んで受け入れる受け側電極とを有する。
上記第２の観点に係る眼鏡型電子機器によれば、前記電気接点の一方の電極が、前記回動軸に対して両面が垂直となる姿勢に保持された板状電極であり、前記電気接点の他方の電極が、前記板状電極を両面から挟んで受け入れる受け側電極であるため、前記電気接点の配置間隔を狭めて、より多くの前記電気接点を設けることが可能である。これにより、前記テンプル部と前記フロント部との間でより多くの導電路を渡すことが可能となる。
また、前記展開状態において前記フロント部と前記テンプル部とが相対的に回動した場合、前記回動軸に対して両面が垂直となる姿勢に保持された前記板状部材が前記受け側電極において両面を挟まれた状態で移動するため、前記電気接点の電気的接触が安定に保たれる。
【００１５】
好適に、前記テンプル部は、前記第テンプル平面部の周囲の少なくとも一部に形成されたテンプル側段差部を有してよい。前記フロント部は、前記第フロント平面部の周囲の少なくとも一部に形成されたフロント側段差部を有してよい。前記テンプル側段差部及び前記フロント側段差部は、前記展開状態において互いに係合してよく、当該係合状態において前記テンプル部と前記フロント部とを位置決めしてよい。
上記の構成によれば、前記テンプル側段差部及び前記フロント側段差部の係合状態において前記テンプル部と前記フロント部とが位置決めされるため、前記電気接点における前記板状部材と前記受け側電極との相対的な位置精度が向上する。
【００１６】
本発明の第３の観点に係る眼鏡型電子機器は、連結部を介して折り畳み自在に連結されたフロント部とテンプル部とを備える。前記連結部は、前記フロント部と前記テンプル部とを回動自在に連結する回動軸と、前記フロント部及び前記テンプル部の一方に形成され、前記回動軸と垂直な所定の方向へ前記回動軸を平行移動可能かつ回動可能に支持する第１回動軸支持部と、前記フロント部及び前記テンプル部の他方に形成され、前記回動軸を支持する第２回動軸支持部とを有する。前記第１回動軸支持部が形成された前記フロント部及び前記テンプル部の前記一方は、前記回動軸と平行かつ前記所定の方向と垂直な第１平面部を有する。前記第２回動軸支持部が形成された前記フロント部及び前記テンプル部の前記他方は、眼鏡として装着可能な展開状態において前記第１平面部と平行となる位置であって、当該展開状態において前記所定の方向に沿って前記回動軸を平行移動させることにより前記第１平面部と対向して近接可能な位置に形成された第２平面部を有する。前記第１平面部と前記第２平面部との間には、複数の電気接点が形成される。前記複数の電気接点は、前記フロント部と前記テンプル部との間を渡る複数の導電路を前記展開状態において接続し、眼鏡として装着不能な折り畳み状態において切り離す。
上記第３の観点に係る眼鏡型電子機器によれば、前記展開状態において互いに平行状態を保ったまま移動可能な前記第１平面部と前記第２平面部との間に電気接点が形成されるため、前記電気接点の配置間隔を狭めて、より多くの前記電気接点を設けることが可能である。これにより、前記テンプル部と前記フロント部との間でより多くの導電路を渡すことが可能となる。
【００１７】
好適に、前記第２回動軸支持部が形成された前記フロント部及び前記テンプル部の前記他方は、前記回動軸と垂直な方向に突出し、当該突出方向の先端に前記第２平面部が形成された突出部を有してよい。前記第１回動軸支持部が形成された前記フロント部及び前記テンプル部の前記一方は、前記所定の方向に延び、底部に前記第１平面部が形成され、前記展開状態において前記突出部が嵌入可能な溝部を有してよい。
上記の構成によれば、前記展開状態において前記突出部が前記溝部に嵌入することにより、前記フロント部と前記テンプル部とが相対的に位置決めされるため、前記第１平面部と前記第２平面部との間に形成された前記電気接点の電極間の相対的な位置精度が向上する。
【発明の効果】
【００１８】
本発明によれば、折り畳み自在に連結されたテンプル部とフロント部との間でより多くの導電路を渡すことができる。
【図面の簡単な説明】
【００１９】
【図１】本発明の実施形態に係る眼鏡型電子機器の一例を示す概略的な外観図である。
【図２】第１の実施形態に係る眼鏡型電子機器の展開状態における連結部付近の拡大図である。図２Ａは斜視図を示し、図２Ｂは平面図を示す。
【図３】第１の実施形態に係る眼鏡型電子機器の折り畳み状態における連結部付近の拡大図であり、図２の矢印Ａの方向から見た斜視図を示す。
【図４】第１の実施形態に係る眼鏡型電子機器の折り畳み状態における連結部付近の拡大図であり、図２の矢印Ｂの方向から見た斜視図を示す。
【図５】フロント部とテンプル部との僅かな相対的回動に応じて生じるピンとパッドとの接触位置の移動を説明するための図である。
【図６】図２の矢印Ａの方向から見た各ピンの位置を透過的に表すとともに、フロント部とテンプル部とを相対的に回動させた場合における各ピンの尖端の軌跡を表した図である。
【図７】第２の実施形態に係る眼鏡型電子機器の折り畳み状態における連結部付近を拡大して表した斜視図である。
【図８】第２の実施形態に係る眼鏡型電子機器における電気接点の一例を示す図である。図８Ａは板状電極と受け側電極が接触する前の状態を示し、図８Ｂは受け側電極によって板状電極が挟まれた状態を示す。
【図９】第３の実施形態に係る眼鏡型電子機器の連結部付近を拡大して表した斜視図である。図９Ａは展開状態を示し、図９Ｂは折り畳み状態を示す。
【図１０】第４の実施形態に係る眼鏡型電子機器の展開状態における連結部付近を拡大して表した斜視図である。図１０Ａは電気接点が接続された状態を示し、図１０Ｂは電気接点が切り離された状態を示す。
【図１１】第４の実施形態に係る眼鏡型電子機器の展開状態における連結部付近を拡大して表した平面図である。図１１Ａは電気接点が接続された状態を示し、図１１Ｂは電気接点が切り離された状態を示す。
【図１２】第４の実施形態に係る眼鏡型電子機器の折り畳み状態における連結部付近を拡大して表した斜視図である。
【発明を実施するための形態】
【００２０】
＜第１の実施形態＞
以下、図面を参照しながら本発明の第１の実施形態に係る眼鏡型電子機器について説明する。図１は、本発明の実施形態に係る眼鏡型電子機器の一例を示す概略的な外観図である。図１に示す眼鏡型電子機器は、頭部の前面（顔）に位置するフロント部１と、頭部の側面（こめかみ）に位置する２本のテンプル部２と、このフロント部１及びテンプル部２を折り畳み自在に連結する２つの連結部３とを有する。テンプル部２は、連結部３によってフロント部１の側端部（智）につながっており、この側端部（智）から遠ざかる方向へ長く延びた形状を有する。
【００２１】
図２は、眼鏡として装着可能な展開状態における連結部３付近の拡大図である。図２Ａは斜視図を示し、図２Ｂは平面図を示す。図３，図４は、眼鏡として装着不能な折り畳み状態における連結部３付近の拡大図である。図３は図２の矢印Ａの方向から見た斜視図を示し、図４は図２の矢印Ｂの方向から見た斜視図を示す。
【００２２】
連結部３は、フロント部１とテンプル部２とを回動自在に連結する回動軸を有する。フロント部１とテンプル部２とが連結部３の回動軸において相対的に回動することにより、展開状態又は折り畳み状態となる。
【００２３】
フロント部１の側端部（智）につながるテンプル部２の端部には、３つの平面部（１１，１２，１３）が形成される。また、フロント部１の側端部には、眼鏡として装着可能な展開状態において当該３つの平面部（１１，１２，１３）と対向して近接する３つの平面部（２１，２２，２２）が形成される。
テンプル部２の端部に形成されるテンプル平面部２１は、本発明における第１テンプル平面部の一例である。
テンプル部２の端部に形成されるテンプル平面部２２，２３は、本発明における第２テンプル平面部の一例である。
ト平面部の一例である。
フロント部１の側端部に形成されるフロント平面部１２，１３は、本発明における第２フロント平面部の一例である。
【００２４】
テンプル平面部２１は、テンプル部２の長手方向に延びた略矩形の形状を有する。図の例において、テンプル平面部２１は連結部３の回動軸と略垂直である。
【００２５】
テンプル平面部２２は、テンプル部２の先端に近い側のテンプル平面部２１の縁に接しており、連結部３の回動軸に対して略水平である。
【００２６】
テンプル平面部２３は、テンプル部２の先端から遠い側のテンプル平面部２１の縁に接しており、連結部３の回動軸に対して略水平である。
【００２７】
フロント平面部１１は、テンプル平面部２１と同様な略矩形の形状を有しており、展開状態においてテンプル平面部２１と対向して近接し、折り畳み状態においてテンプル平面部２１から離間する。フロント平面部１１は、連結部３の回動軸に対して略垂直である。
【００２８】
フロント平面部１２は、展開状態においてテンプル平面部２２と対向して近接し、折り畳み状態においてテンプル平面部２２から離間する。フロント平面部１２は、フロント部１の側端部の先端から遠い側のフロント平面部１１の縁に接しており、連結部３の回動軸に対して略水平である。
【００２９】
フロント平面部１３は、展開状態においてテンプル平面部２３と対向して近接し、折り畳み状態においてテンプル平面部２３から離間する。フロント平面部１３は、フロント部１の側端部の先端に近い側のフロント平面部１１の縁に接しており、連結部３の回動軸に対して略水平である。
【００３０】
連結部３の回動軸は、互いに近接するテンプル平面部２２の一辺とフロント平面部１２の一辺の近くに配置される。
【００３１】
フロント平面部１１とテンプル平面部２１との間には、１０個の電気接点４が形成される。当該１０個の電気接点４は、フロント部１とテンプル部２との間を渡る１０本の導電路を展開状態においてそれぞれ接続し、折り畳み状態においてそれぞれ切り離す。
電気接点４は、本発明における第１電気接点の一例である。
電気接点４を介してフロント部１とテンプル部２との間を渡る導電路は、本発明における第１導電路の一例である。
【００３２】
各電気接点４は、フロント平面部１１に配設されたパッド４１と、テンプル平面部２１に配設されたピン４２とを含んで構成される。ピン４２は、スプリング等の弾性部材によってフロント平面部１１の表面から突出する方向に付勢される。
【００３３】
上述した構成を有する眼鏡型電子機器では、フロント部１とテンプル部２とを連結部３において回動させて展開状態にした場合、フロント平面部１１とテンプル平面部２１とが互いに対向して近接する。フロント平面部１１とテンプル平面部２１とが対向して近接すると、フロント平面部１１に配設された１０個のパッド４１とテンプル平面部２１に配設された１０本のピン４２とがそれぞれ電気的に接触する。これにより、フロント部１とテンプル部２との間を渡る１０本の導電路がそれぞれ電気接点４を介して導通する。
【００３４】
また、フロント部１とテンプル部２とを連結部３において回動させて折り畳み状態にした場合、フロント平面部１１とテンプル平面部２１とが互いに離間するため、パッド４１とピン４２とが電気的に切り離される。これにより、フロント部１とテンプル部２との間を渡る１０本の導電路がそれぞれ電気接点４において遮断される。
【００３５】
以上説明したように、本実施形態に係る眼鏡型電子機器によれば、テンプル部２の長手方向に延びて形成されたテンプル平面部２１と、展開状態においてこのテンプル平面部２１と対向して近接するフロント平面部１１との間に電気接点４が形成される。これにより、テンプル部の長手方向と垂直な端面に電気接点を形成する場合に比べて、より大きな平面部に電気接点を配設することができる。そのため、より多くの電気接点を設けることが可能となり、テンプル部とフロント部との間でより多くの導電路を渡すことができる。
【００３６】
また、本実施形態に係る眼鏡型電子機器によれば、テンプル平面部２１及びフロント平面部１１が連結部３の回動軸に対して垂直な平面であることから、展開状態においてフロント部１とテンプル部２とが相対的に回動した場合でも、テンプル平面部２１とフロント平面部１１との間隔が一定に保たれる。この場合、電気接点４におけるパッド４１とピン４２との接触位置が平面上で移動して両者が摺動するものの、回動が僅かであれば、パッド４１とピン４２との接触が安定に保たれる。すなわち、展開状態においてフロント部１とテンプル部２とが相対的に僅かに回動した場合でも、電気接点４における電気的接触を安定に保つことができる。
【００３７】
更に、本実施形態に係る眼鏡型電子機器によれば、ピン４２がフロント平面部１１の表面から突出する方向に付勢される。これにより、展開状態においてフロント平面部１１とテンプル平面部２１とが対向して近接した場合に、ピン４２がこの付勢力によってパッド４１に押し当てられるため、ピン４２をパッド４１へ確実に接触させることができる。また、展開状態においてフロント部１とテンプル部２とが相対的に僅かに回動した場合でも、ピン４２をパッド４１へ安定的に接触させることができる。
【００３８】
なお、展開状態においてフロント部１とテンプル部２とが相対的に僅かに回動した場合、電気接点４におけるパッド４１とピン４２との接触位置４３は、例えば図５において点線の矢印で示すように移動する。このように、フロント部１とテンプル部２との僅かな相対的回動に応じて接触位置４３が移動した場合でも電気接点４の接触が安定的に保たれるようにするため、接触位置４３の許容すべき移動範囲に合わせて、パッド４１の位置や形状、大きさを適切に設定することが望ましい。
【００３９】
また、本実施形態に係る眼鏡型電子機器では、フロント平面部１１とテンプル平面部２１が共に連結部３の回動軸と垂直であることから、フロント部１とテンプル部２とを相対的に回動させた場合、フロント平面部１１とテンプル平面部２１とが互いの平行状態を保ったまま移動する。そのため、フロント部１とテンプル部２とを相対的に回動させた場合におけるピン４２の尖端の軌跡上に複数のパッド４１が存在していると、展開状態と折り畳み状態との中間状態において、当該ピン４２が本来接触するべきでないパッド４１と一時的に接触してしまう。
【００４０】
そこで、本実施形態に係る眼鏡型電子機器では、例えば図６において示すように、フロント部１とテンプル部２とを相対的に回動させた場合における各ピン４２の尖端の軌跡上（図６における点線上）に１つのパッド４１のみが存在するように、フロント平面部１１における各パッド４１の配置並びにテンプル平面部２１における各ピン４２の配置が設定されていることが望ましい。図６は、図２の矢印Ａの方向から見た各ピン４２の位置を透過的に表すとともに、フロント部１とテンプル部２とを相対的に回動させた場合における各ピン４２の尖端の軌跡を表した図である。図６の例において示すように、各ピン４２の尖端の軌跡上に１つのパッド４１のみが存在するように各ピン４２と各パッド４１の配置を設定することで、各ピン４２が１つのパッド４１とのみ接触するようになるため、本来接触するべきでないピン４２とパッド４１とが接触することによる誤動作等を防止できるとともに、ピン４２とパッド４１との不必要な摺動による接点の摩耗を防止できる。
【００４１】
＜第２の実施形態＞
次に、本発明の第２の実施形態について説明する。
第２の実施形態に係る眼鏡型電子機器は、上述した図１〜図４に示す眼鏡型電子機器において、テンプル平面部２２とフロント平面部１２との間に電気接点５を更に設けたものである。
【００４２】
図７は、本実施形態に係る眼鏡型電子機器の折り畳み状態における連結部３付近を拡大して表した斜視図であり、図３に示す斜視図に対応する。図７に示す眼鏡型電子機器では、フロント部１のフロント平面部１２とテンプル部２のテンプル平面部２２との間に２つの電気接点５が形成される。当該２つの電気接点５は、フロント部１とテンプル部２との間を渡る２本の導電路を展開状態においてそれぞれ接続し、折り畳み状態においてそれぞれ切り離す。
電気接点５は、本発明における第２電気接点の一例である。
電気接点５を介してフロント部１とテンプル部２との間を渡る導電路は、本発明における第２導電路の一例である。
【００４３】
図８は、電気接点５の構成の一例を示す図である。図８Ａは接点が導通する前の状態を示し、図８Ｂは接点が導通した後の状態を示す。各電気接点５は、フロント平面部１２に配設された板状電極５１と、テンプル平面部２２に配設された受け側電極５２とを含んで構成される。板状電極５１は、連結部３の回動軸に対してその両面が垂直となる姿勢でフロント平面部１２の表面に保持される。受け側電極５２は、向かい合わせに配置された２枚の電極板を有しており、図８Ｂにおいて示すように、この２枚の電極板によって板状電極５１を両面から挟み込んで受け入れる。なお図７の例において、受け側電極５２は、テンプル平面部２２の表面に形成された孔の中に埋め込まれている。
【００４４】
板状電極５１が配設されるフロント平面部１２の周囲には、フロント平面部１２の表面より立ち上がった段差部１５が形成される。また、受け側電極５２が配設されるテンプル平面部２２の周囲には、テンプル平面部２２の表面より立ち下がった段差部２５が形成される。フロント平面部１２の周囲に形成される段差部１５とテンプル平面部２２の周囲に形成される段差部２５とは、展開状態において互いに係合し、この係合状態においてフロント部１とテンプル部２とを相対的に位置決めする。
【００４５】
以上の構成を有する本実施形態に係る眼鏡型電子機器によれば、フロント平面部１１及びテンプル平面部２１の間だけでなく、フロント平面部１２及びテンプル平面部２２の間にも電気接点５が形成されるため、第１の実施形態に係る眼鏡型電子機器よりも更に多くの導電路をフロント部１とテンプル部２の間に渡すことが可能となる。
【００４６】
また、本実施形態に係る眼鏡型電子機器によれば、連結部３の回動軸に対してその両面が垂直となる姿勢でフロント平面部１２の表面に保持された板状電極５１を、テンプル平面部２２の表面に配設した受け側電極５２によって両面から挟み込んで受け入れることにより、板状電極５１と受け側電極５２とが電気的に接触する。これにより、フロント部１とテンプル部２とが相対的に僅かに回動した場合でも、受け側電極５２によって板状電極５１を両面から挟み込んだ状態を維持できるため、電気接点５における電気的な接触を安定に保つことができる。
【００４７】
更に、本実施形態に係る眼鏡型電子機器によれば、フロント平面部１２の周囲に形成される段差部１５とテンプル平面部２２の周囲に形成される段差部２５とが係合することによってフロント部１とテンプル部２とが相対的に位置決めされるため、受け側電極５２と板状電極５１との相対的な位置精度が向上し、連結部３の回動軸に多少のブレが生じていても、受け側電極５２の中央へ板状電極５１を正確に差し込むことが可能となる。また、受け側電極５２と板状電極５１との相対的な位置精度が向上することにより、受け側電極５２及び板状電極５１を薄型化できるため、電気接点５の配置間隔を狭めて、より多くの電気接点５を設けることが可能になる。
【００４８】
＜第３の実施形態＞
次に、本発明の第３の実施形態について説明する。
図９は、本実施形態に係る眼鏡型電子機器の連結部３付近を拡大して表した斜視図である。なお、本実施形態に係る眼鏡型電子機器の全体構成は、図１に示す眼鏡型電子機器と同様である。すなわち、本実施形態に係る眼鏡型電子機器は、フロント部１とテンプル部２と連結部３を有しており、フロント部１とテンプル部２とが連結部３の回動軸において相対的に回動することにより、展開状態又は折り畳み状態となる。図９Ａは展開状態を示し、図９Ｂは折り畳み状態を示す。
【００４９】
フロント部１の側端部（智）につながるテンプル部２の端部には、連結部３の回動軸に対して水平な平面部１２Ａが形成される。また、フロント部１の側端部には、展開状態において平面部１２Ａと対向して近接し、折り畳み状態においてフロント平面部１２Ａから離間する平面部２２Ａが形成される。フロント平面部１２Ａも、連結部３の回動軸に対して水平である。
テンプル部２の端部に形成されるテンプル平面部２２Ａは、本発明におけるテンプル平面部の一例である。
フロント部１の側端部に形成されるフロント平面部１２Ａは、本発明におけるフロント平面部の一例である。
【００５０】
連結部３の回動軸は、互いに近接するテンプル平面部２２Ａの一辺とフロント平面部１２Ａの一辺の近くに配置される。
【００５１】
フロント平面部１１Ａとテンプル平面部２１Ａとの間には、１０個の電気接点５Ａが形成される。当該１０個の電気接点５Ａは、フロント部１とテンプル部２との間を渡る１０本の導電路を展開状態においてそれぞれ接続し、折り畳み状態においてそれぞれ切り離す。
電気接点５Ａは、本発明における電気接点の一例である。
電気接点５Ａを介してフロント部１とテンプル部２との間を渡る導電路は、本発明における導電路の一例である。
【００５２】
各電気接点５Ａは、フロント平面部１２Ａに配設された板状電極５１Ａと、テンプル平面部２２Ａに配設された受け側電極５２Ａとを含んで構成される。板状電極５１Ａは、連結部３の回動軸に対してその両面が垂直となる姿勢でフロント平面部１２Ａの表面に保持される。受け側電極５２Ａは、向かい合わせに配置された２枚の電極板によって板状電極５１Ａを両面から挟み込んで受け入れる。板状電極５１Ａ及び受け側電極５２Ａは、図８に示す板状電極５１及び受け側電極５２と同様な構造を有する。
【００５３】
板状電極５１Ａが配設されるフロント平面部１２Ａの周囲には、フロント平面部１２Ａの表面より立ち上がった段差部１５Ａが形成される。また、受け側電極５２Ａが配設されるテンプル平面部２２Ａの周囲には、テンプル平面部２２Ａの表面より立ち下がった段差部２５Ａが形成される。フロント平面部１２Ａの周囲に形成される段差部１５Ａとテンプル平面部２２Ａの周囲に形成される段差部２５Ａとは、展開状態において互いに係合し、この係合状態においてフロント部１とテンプル部２とを相対的に位置決めする。
【００５４】
以上の構成を有する本実施形態に係る眼鏡型電子機器によれば、連結部３の回動軸に対してその両面が垂直となる姿勢でフロント平面部１２Ａの表面に保持された板状電極５１Ａを、テンプル平面部２２Ａの表面に配設した受け側電極５２Ａによって両面から挟み込んで受け入れることにより、板状電極５１Ａと受け側電極５２Ａとが電気的に接触する。これにより、スプリング等で付勢されたピンをパッドに押しつける構造の電気接点に比べて、電気接点同士の配置間隔をより狭くすることが可能になるため、平面上により多くの電気接点を配設できる。従って、フロント部１とテンプル部２との間においてより多くの導体路を渡すことが可能になる。また、フロント部１とテンプル部２とが相対的に僅かに回動した場合でも、受け側電極５２によって板状電極５１を両面から挟み込んだ状態を維持できるため、電気接点５Ａにおける電気的な接触を安定に保つことができる。
【００５５】
更に、本実施形態に係る眼鏡型電子機器によれば、フロント平面部１２Ａの周囲に形成される段差部１５Ａとテンプル平面部２２Ａの周囲に形成される段差部２５Ａとが係合することによってフロント部１とテンプル部２とが相対的に位置決めされるため、受け側電極５２Ａと板状電極５１Ａとの相対的な位置精度を向上できる。また、これにより、受け側電極５２Ａ及び板状電極５１Ａを薄型化できるため、電気接点５Ａの配置ピッチを狭めて、より多くの電気接点５Ａを設けることが可能になる。
【００５６】
＜第４の実施形態＞
次に、本発明の第４の実施形態について説明する。
上述した第１乃至第３の実施形態に係る眼鏡型電子機器では、回動軸に対して相対的に回動する２つの平面上に電気接点の電極が設けられているが、本実施形態に係る眼鏡型電子機器では、相対的に平行移動する２つの平面上に電気接点の電極が設けられる。
【００５７】
図１０は、本実施形態に係る眼鏡型電子機器の展開状態における連結部３付近を拡大して表した斜視図である。図１０Ａは電気接点６が接続された状態を示し、図１０Ｂは電気接点６が切り離された状態を示す。また図１１は、本実施形態に係る眼鏡型電子機器の展開状態における連結部３付近を拡大して表した平面図である。図１１Ａは電気接点６が接続された状態を示し、図１１Ｂは電気接点６が切り離された状態を示す。更に図１２は、本実施形態に係る眼鏡型電子機器の折り畳み状態における連結部３付近を拡大して表した斜視図である。
なお、本実施形態に係る眼鏡型電子機器の全体構成は、図１に示す眼鏡型電子機器と同様である。すなわち、本実施形態に係る眼鏡型電子機器は、フロント部１とテンプル部２と連結部３を有しており、フロント部１とテンプル部２とが連結部３の回動軸において相対的に回動することにより、展開状態又は折り畳み状態となる。
【００５８】
本実施形態に係る眼鏡型電子機器における連結部３は、フロント部１とテンプル部２とを回動自在に連結する回動軸３１と、フロント部１に形成された第１回動軸支持部３２と、テンプル部２に形成された第２回動軸支持部３３とを含む。
第１回動軸支持部３２は、本発明における第１回動軸支持部の一例である。
第２回動軸支持部３３は、本発明における第２回動軸支持部の一例である。
【００５９】
第１回動軸支持部３２は、回動軸３１を回動可能に支持するとともに、回動軸３１を図１０，図１１の矢印の方向へ平行移動可能に支持する。例えば図１０において示すように、第１回動軸支持部３２は、フロント部１の先端部付近に長孔として形成される。この長孔は、展開状態におけるテンプル部２の長手方向に対して略平行に延びて形成される。
【００６０】
なお、図１０〜図１２に例示する斜視図では、回動軸３１の一方の端を支持する１つの回動軸支持部３２のみが図解されているが、回動軸３１の他方の端を支持するための同様な回動軸支持部３２が、フロント部１２の先端部付近における不図示の位置にも設けられている。
【００６１】
第２回動軸支持部３３は、テンプル部２において回動軸３１を支持する部分であり、テンプル部２に対する回動軸３１の位置を固定する。ただし、第２回動軸支持部３３は、テンプル部２に対する回動軸３１の回動を制限してもよいし、制限しなくてもよい。すなわち、第２回動軸支持部３３は、回動軸３１を回動自在に支持してもよいし、回動不能に支持してもよい。
【００６２】
フロント部１の先端付近には、第１平面部１８が形成される。第１平面部１８は、回動軸３１と平行であり、かつ、第１回動軸支持部３２による回動軸３１の平行移動の方向（図１０，図１１の矢印の方向）と垂直である。
【００６３】
テンプル部２の先端付近には、第２平面部２８が形成される。第２平面部２８は、展開状態において第１平面部１８と平行となる。また、第２平面部２８は、展開状態において回動軸３１を第１回動軸支持部３２に従って平行移動させることにより、第１平面部１８と対向して近接する。
【００６４】
図１０〜図１２の例において、テンプル部２の先端付近には、回動軸３１と垂直な方向に突出した突出部２７が形成される。第２平面部２８は、この突出部２７の先端に形成される。
【００６５】
また、図１０〜図１２の例において、フロント部１の先端には、展開状態においてテンプル部２の突出部２７が嵌入可能な溝部１７が形成される。この溝部１７は、第１回動軸支持部３２による回動軸３１の平行移動の方向（図１０，図１１の矢印の方向）に延びており、その底部に第１平面部１８が形成される。
【００６６】
上述のように形成された第１平面部１８と第２平面部２８との間には、複数の電気接点を形成するコネクタ部６が設けられている。このコネクタ部６は、第１平面部１８に設けられたコネクタ６１と、第２平面部２８に設けられたコネクタ６２とを含んで構成される。コネクタ６１及びコネクタ６２は、例えば、回路基板同士を接続する場合などに用いられる多ピン型のコネクタである。コネクタ６１及びコネクタ６２を互いに平行移動させながら突き合わせることにより、両者が結合され複数の電気接点が導通する。また、コネクタ６１及びコネクタ６２を互いに平行移動させながら引き離すことにより、両者の結合が解除されて複数の電気接点が遮断される。
【００６７】
上述した構成を有する眼鏡型電子機器では、フロント部１とテンプル部２とを連結部３において回動させて展開状態とし、更に、フロント部１の溝部１７の中へテンプル部２の突出部２７を嵌入させることにより、突出部２７の先端に設けられたコネクタ６２が溝部１７の底部に設けられたコネクタ６１に向かって平行に移動し、コネクタ６１とコネクタ６２とが結合される。これにより、フロント部１とテンプル部２との間を渡る複数の導電路が、コネクタ６１及びコネクタ６２の内部に形成された複数の電気接点を介して導通する。
【００６８】
また、溝部１７の中から突出部２７を引き抜くと、互いに結合されたコネクタ６１とコネクタ６２とが平行に移動して引き離され、コネクタ６１及びコネクタ６２の内部に形成された複数の電気接点が切り離される。これにより、フロント部１とテンプル部２との間を渡る複数の導電路が遮断される。コネクタ６１及びコネクタ６２の結合が解除されると、フロント部１とテンプル部２とを連結部３において回動させて折り畳み状態にすることが可能となる。
【００６９】
以上説明したように、本実施形態に係る眼鏡型電子機器によれば、展開状態において互いに平行に移動させることが可能な第１平面部１８と第２平面部２８との間に電気接点が形成されるため、電気接点同士の間隔をより狭くすることが可能であり、例えば、回路基板間の接続に用いられる多ピン型のコネクタ等を電気接点として利用することが可能である。そのため、より多くの電気接点を設けることが可能となり、テンプル部とフロント部との間でより多くの導電路を渡すことができる。
【００７０】
また、本実施形態に係る眼鏡型電子機器によれば、先端部に第２平面部２８が形成された突出部２７を底部に第１平面部１８が形成された溝部１７の中へ嵌入させながら第１平面部１８と第２平面部２８とを平行移動させるため、第１平面部１８と第２平面部２８との相対的な位置ずれを抑えることが可能となり、第１平面部１８と第２平面部２８との間に形成される電気接点の相対位置な位置精度を高めることができる。
【００７１】
以上、本発明の幾つかの実施形態について説明したが、本発明は上述した実施形態に限定されるものではなく、種々のバリエーションを含んでいる。
【００７２】
図２〜図４に示す眼鏡型電子機器や図７に示す眼鏡型電子機器では、パッド４１がフロント部１に設けられ、ピン４２がテンプル部２に設けられているが、本発明はこれに限定されない。本発明の他の実施形態では、パッド４１がテンプル部２に設けられ、ピン４２がフロント部１に設けられていてもよい。
【００７３】
図７に示す眼鏡型電子機器や図９に示す眼鏡型電子機器では、板状電極５１がフロント部１に設けられ、受け側電極５２がテンプル部２に設けられているが、本発明はこれに限定されない。本発明の他の実施形態では、板状電極５１がテンプル部２に設けられ、受け側電極５２がフロント部１に設けられていてもよい。
【００７４】
図１０〜図１２に示す眼鏡型電子機器では、テンプル部２の先端部に突出部２７が設けられ、フロント部１の先端部に溝部１７が設けられているが、本発明はこれに限定されない。本発明の他の実施形態では、フロント部１に突出部が設けられ、テンプル部２に溝部が設けられていてもよい。
【００７５】
図２〜図４に示す眼鏡型電子機器や図７に示す眼鏡型電子機器では、フロント平面部１２の一辺とテンプル平面部２２の一辺とに近接して連結部３の回動軸が設けられているが、本発明はこれに限定されない。本発明の他の実施形態では、フロント平面部１３の一辺とテンプル平面部２３の一辺とに近接して連結部３の回動軸が設けられていてもよい。
【００７６】
図７に示す眼鏡型電子機器では、フロント平面部１２とテンプル平面部２２との間に電気接点５が設けられているが、本発明はこれに限定されない。本発明の他の実施形態では、フロント平面部１３とテンプル平面部２３との間に電気接点５が設けられていてもよいし、フロント平面部１２とテンプル平面部２２との間及びフロント平面部１３とテンプル平面部２３との間にそれぞれ電気接点５が設けられていてもよい。
【００７７】
図７に示す眼鏡型電子機器や図９に示す眼鏡型電子機器では、フロント平面部１２，１２Ａの周囲に形成された段差１５，１５Ａがフロント平面部１２，１２Ａの表面に対して立ち上がり、テンプル平面部２２，２２Ａの周囲に形成された段差２５，２５Ａがテンプル平面部２２，２２Ａの表面に対して立ち下がっているが、本発明はこれに限定されない。本発明の他の実施形態では、フロント平面部１２，１２Ａの周囲に形成された段差がフロント平面部１２，１２Ａの表面に対して立ち下がり、テンプル平面部２２，２２Ａの周囲に形成された段差がテンプル平面部２２，２２Ａの表面に対して立ち上がっていてもよい。
【００７８】
図２〜図４に示す眼鏡型電子機器では、連結部３の回動軸と垂直、かつ、テンプル部２の長手方向に延びたテンプル平面部２１に電気接点４が設けられているが、本発明はこれに限定されない。本発明の他の実施形態では、連結部３の回動軸と水平、かつ、テンプル部２の長手方向に延びたテンプル平面部に電気接点が設けられていてもよい。
【００７９】
上述した実施形態における平面部や電気接点の数・配置・形状等は一例であり、本発明はこれに限定されない。
【符号の説明】
【００８０】
１…フロント部、２…テンプル部、３…連結部、３１…回動軸、３２…第１回動軸支持部、３３…第２回動軸支持部、１１，１２，１３…フロント平面部、１５…段差部、１７…溝部、１８…第１平面部、２１，２２，２３…テンプル平面部、２５…段差部、２７…突出部、２８…第２平面部、４，５…電気接点、４１…パッド、４２…ピン、５１…板状電極、５２…受け側電極、６…コネクタ部、６１，６２…コネクタ。
【図１】
0005937138.tif 000002
【図２】
0005937138.tif 000003
【図３】
0005937138.tif 000004
【図４】
0005937138.tif 000005
【図５】
0005937138.tif 000006
【図６】
0005937138.tif 000007
【図７】
0005937138.tif 000008
【図８】
0005937138.tif 000009
【図９】
0005937138.tif 000010
【図１０】
0005937138.tif 000011
【図１１】
0005937138.tif 000012
【図１２】
0005937138.tif 000013